(57)【特許請求の範囲】
【請求項１】
キャディバッグ本体のフロント側またはバック側の外表面に、開閉可能な大小複数のポケットを設けたキャディバッグであって、
前記複数のポケットの少なくとも一個を、キャディバッグ本体の外方向に開閉するワンタッチタイプのポケットにし、
前記ワンタッチタイプのポケットは、キャディバッグ本体側に上縁部の一部が固定された内側袋部と、この内側袋部に対して上縁部が開閉する外側袋部とで袋状に構成され、
前記内側袋部と前記外側袋部の上縁部にそれぞれ弾性部材が埋設され、
前記外側袋部の上縁部に埋設された前記弾性部材の弾性力は、前記内側袋部の上縁部に埋設された前記弾性部材の弾性力よりも強く設定され、前記内側袋部の上縁部および前記外側袋部の上縁部に埋設された前記弾性部材の弾性力に抗して、前記外側袋部の上縁部をキャディバッグ本体の外側に引っ張ると、前記内側袋部の上縁部と前記外側袋部の上縁部との間に開口部が形成されると共にこの開口部が形成された状態が保持され、前記内側袋部の上縁部および前記外側袋部の上縁部に埋設された前記弾性部材の弾性力に抗して、前記外側袋部の上縁部をキャディバッグ本体側に押し込むと、前記開口部が閉塞されると共にこの開口部が閉塞された状態が保持される、
ことを特徴とするキャディバッグ。
【請求項２】
前記内側袋部と前記外側袋部の上縁部にそれぞれ埋設された前記弾性部材が板バネであり、前記外側袋部の上縁部に埋設された板バネを、前記開口部が閉塞された状態で、予めキャディバッグ本体の外側面形状に対応する形態に形成した請求項１に記載のキャディバッグ。
【請求項３】
前記外側袋部の一部に、前記開口部の開閉操作を行う把手を設けた請求項１または２に記載のキャディバッグ。
【請求項４】
前記ワンタッチタイプのポケットは、キャディバッグ本体のフロント側に設けた複数のポケットの中間部に位置するように配設した請求項１，２または３に記載のキャディバッグ。
【請求項５】
前記キャディバッグ本体のフロント側中央の上縁部に、ショルダーベルトの一端に設けた金具を着脱可能に取付ける取付け金具を設け、前記キャディバッグ本体中央のフロント側ポケットの両側対称位置に、ショルダーベルトの他端に設けた金具を着脱可能に取付ける一対の取付け金具をそれぞれ設けた請求項１，２，３または４に記載のキャディバッグ。
【発明の詳細な説明】
【技術分野】
【０００１】
この発明は、複数本のゴルフクラブを収容し、ゴルフ競技，ゴルフ練習等に於いて使用するキャディバッグに係わり、更に詳しくはキャディバッグ本体に設けた複数のポケットの少なくとも一個が、ポケットの開閉，収容物の取出しを片手で簡単に取り出すことが出来るキャディバッグの側面に設けるポケットの改良に関するものである。
【背景技術】
【０００２】
一般に、複数本のゴルフクラブを収容し、ゴルフ競技，ゴルフ練習等に於いて使用するキャディバッグの側面、即ち、フロント側の側面またはバック側の側面の他、サイド側の側面には、多数の大小ポケットが取付けられている。これらの多数のポケットには、ゴルフ競技中に使用するゴルフボール，手袋，ティ，ヘッドカバー等の小物を入れる小型，中型のポケットや、キャディバッグのフードやシューズ、雨具等を収容する大型のポケットが設けられている。
【０００３】
ところで、上記のような従来のポケットの開口部の開閉は、例えば、ファスナーや、面ファスナー「マジックテープ（登録商標）」が使用され、ファスナーを使用したポケットの場合、開口部を大きくするために引手を２箇所に設けているものがある（例えば、特許文献１，特許文献２参照）。
【０００４】
然しながら、引手を２箇所に設けたファスナータイプのポケットから内容物を取り出す場合には、先ず中身を取り出すために両手を使用してファスナーを左右に開き、ポケット内を視認するために片方の手で蓋部を持って大きく開け、もう片方の手で内容物を取り出し、更に両手を使用してファスナーを閉めると言う手順が必要であった。
【０００５】
また、面ファスナータイプのポケットの場合にも、ポケットの開口部を広くした状態に保つためには、両手操作が必要であり、閉じる場合にもポケットを折り畳んで面ファスナーをしっかりと圧着しなければならなず、開閉操作に手間がかかると言う問題があった。
【０００６】
しかし、プレー中に上記のような操作を一々するのは非常に面倒であり、時にはポケットを開けっ放し状態でプレーをしたり、一部のみを閉めた状態でプレーをするために、ポケット内の内容物が脱落する等の問題が発生し、更にはファスナーの開閉時に内容物が引っ掛かり、開閉が困難になる等の不具合が発生していた。
【特許文献１】実用新案登録番号第３０１４２５９号公報
【特許文献２】実用新案登録番号第３０８５４０５号公報
【発明の開示】
【発明が解決しようとする課題】
【０００７】
この発明はかかる従来の問題点に着目し、ポケットの開閉操作を押し引き操作で片手により行うことが出来ると共に、開放時及び閉扉時は弾性部材の弾性力を利用して確実に行うことが出来、ポケット内の内容物の出し入れを容易に行うことが出来るキャディバッグを提供することを目的とするものである。
【課題を解決するための手段】
【０００８】
この発明は上記目的を達成するため、キャディバッグ本体のフロント側またはバック側の外表面に、開閉可能な大小複数のポケットを設けたキャディバッグであって、前記複数のポケットの少なくとも一個を、キャディバッグ本体の外方向に弾性部材の弾性力に抗して開閉するワンタッチタイプのポケットにしたことを要旨とするものである。
【０００９】
ここで、前記ワンタッチタイプのポケットは、キャディバッグ本体側に上縁部の一部が固定された内側袋部と、この内側袋部に対して上縁部が開閉する外側袋部とで袋状に構成し、内側袋部と外側袋部との上縁部に弾性力が異なる弾性部材をそれぞれ埋設し、また前記弾性部材は板バネであり、内側袋部の板バネ弾性力に対して外側袋部の板バネ弾性力を強くし、かつ外側袋部の板バネを予めキャディバッグ本体の外側面形状に対応する形態に形成するものである。
【００１０】
また、前記ワンタッチタイプのポケットの外側袋部の一部に、該外側袋部の開閉操作を行う把手を設け、前記ワンタッチタイプのポケットは、キャディバッグ本体のフロント側に設けた複数のポケットの中間部に位置するように配設するものである。
【００１１】
更に、前記キャディバッグ本体のフロント側中央の上縁部に、ショルダーベルトの一端に設けた金具を着脱可能に取付ける取付け金具を設け、前記キャディバッグ本体中央のフロント側ポケットの両側対称位置に、ショルダーベルトの他端に設けた金具を着脱可能に取付ける一対の取付け金具をそれぞれ設けるものである。
【００１２】
この発明は上記のように複数のポケットの少なくとも一個を、弾性部材の弾性力を利用した押し引きタイプのポケットにしたので、ポケットの開閉操作を片手により行うことが出来ると共に、開放時及び閉扉時は弾性部材の弾性力を利用して確実に行うことが出来、ポケット内の内容物の出し入れを容易に行うことが出来る。
【発明の効果】
【００１３】
この発明は、上記のようにキャディバッグ本体のフロント側及びバック側の外表面に、開閉可能な大小複数のポケットを設けたキャディバッグであって、前記複数のポケットの少なくとも一個を、キャディバッグ本体の外方向に弾性部材の弾性力に抗して開閉するワンタッチタイプのポケットにしたので、ポケットの開閉操作、中身の取り出し作業を片手により簡単に行うことが出来、また開けた状態でポケットの開口縁部が固定されるため、中身の視認がし易く、中身の取り出しを容易に行うことが出来る効果がある。
【発明を実施するための最良の形態】
【００１４】
以下、添付図面に基づき、この発明の実施形態を説明する。                          図１は、この発明を実施したキャディバッグ本体のフロント側Ｘから見た斜視図、図２は図１のキャディバッグ本体の側面図、図３はキャディバッグ本体のフロント側Ｘから見た正面図、図４はキャディバッグ本体のバック側Ｙの正面図を示し、前記キャディバッグ本体１は、外郭部材として合成皮革等を主材として構成され、キャディバッグ本体１のフロント側Ｘには、ゴルフ競技中に使用するゴルフボール，手袋，ティ，ヘッドカバー等の小物を入れる小型，中型の複数のポケット２Ａ，２Ｂ，２Ｃが縦直列に配設され、またキャディバッグ本体１のバック側Ｙには、ヘッドカバーやシューズ、雨具等を収容する大型のポケット３が設けられている。
【００１５】
また、前記キャディバッグ本体１のフロント側Ｘにおけるポケット２Ａの上部には、キャディバッグ本体１の把手４及びショルダーベルト５の一端に設けた金具６ａを着脱可能に取付ける取付け金具７ａが取付けられている。
【００１６】
この発明では、前記キャディバッグ本体１のフロント側Ｘに設けた複数のポケット２Ａ，２Ｂ，２Ｃの少なくとも１個（この実施形態ではポケット２Ｂ）について、片手により開閉出来るワンタッチタイプのポケットに構成してある。なお、その他のポケット２Ａ，２Ｃについても同様にワンタッチタイプのポケットに構成することは可能である。
【００１７】
前記ワンタッチタイプのポケット、即ち、ポケット２Ｂは、図５〜図７に示すように、キャディバッグ本体１側に上縁部９ａの一部が固定ビス等の締結手段８により固定された内側袋部９と、この内側袋部９に対して上縁部１０ａが開閉する外側袋部１０とで袋状に構成し、内側袋部９と外側袋部１０との上縁部９ａ，１０ａに図７に示すように、弾性力の異なる弾性部材１１Ａ，１１Ｂが埋設してあり、この弾性部材１１Ａ，１１Ｂとして、この発明の実施形態では板バネを使用しているが、板バネに限定されるものではない。
【００１８】
前記弾性部材１１Ａ，１１Ｂは、内側袋部９の板バネ弾性力に対して外側袋部１０の板バネ弾性力を強くし、かつ外側袋部１０の板バネ１１Ｂを予めキャディバッグ本体１の外側面形状に対応する形態に形成してある。また、外側袋部１０の一部には、該外側袋部１０をキャディバッグ本体１に対して押し引きして開閉操作を行う把手１２が設けてある。
【００１９】
このように構成することで、ポケット２Ｂの開口時には、把手１２を持って外側袋部１０をキャディバッグ本体１に対して外方向へ引っ張ると、弾性部材１１Ａの両端側は固定ビス等の締結手段８を支点としてキャディバッグ本体１の外側に円弧状に弾性変形し、またポケット２Ｂの開口縁部は所定の形状の弾性部材１１Ｂにより固定されるため、開口部を広く保持でき、この結果、中身の視認がし易く、内容物の取り出しを容易に行うことが出来る。
【００２０】
またポケット２Ｂを閉じた時には弾性部材１１Ｂは弾性部材１１Ａより弾性力が強く、しかもキャディバッグ本体１の外側面形状に対応する形態に形成してあるため、弾性部材１１Ａは固定ビス等の締結手段８を支点としてキャディバッグ本体１側に円弧状に弾性変形し、また弾性部材１１Ｂが弾性部材１１Ａ上に被さるようになるので、ポケット２Ｂの開口部をキャディバッグ本体１の外側面に密着させた状態で密閉することが出来る。
【００２１】
また前記キャディバッグ本体１の中央のフロント側Ｘのポケット２Ｂの両側対称位置には、ショルダーベルト５の他端に設けた金具６ｂを着脱可能に取付ける取付け金具７ｂ，７ｂが取付けられている。
【００２２】
このように、ポケット２Ｂの両側対称位置の２箇所に取付け金具７ｂ，７ｂを設けることで、ショルダーベルト５をポケット２Ａ，２Ｂ，２Ｃの開口時に邪魔にならない位置に掛渡すことが出来、またキャディバッグ本体１を担ぐ場合にも、右肩，左肩に掛ける場合にも交換を容易に行うことが出来る。
【００２３】
以上のように、この発明ではキャディバッグ本体１の側面に設けるポケット２Ａ，２Ｂ，２Ｃの少なくとも一個を、弾性部材の弾性力を利用した押し引きタイプのポケット２Ｂにしたので、ポケット２Ｂが閉じた状態から開口状態にするには、外側袋部１０に設けた把手１２を片手で持ってキャディバッグ本体１の外側に引っ張ると、内側袋部９の上縁部１０ａに埋設した弾性部材１１Ａは締結手段８を支点としてキャディバッグ本体１の外側方向へ弾性変形し、ポケット２Ｂの開口縁部が弾性部材１１Ｂにより固定されるため、開口部を広く保持できる。これにより、ポケット２Ｂ内に収容していた収容物の視認がし易くなり、内容物の取り出しを容易に行うことが出来る。
【００２４】
また、ポケット２Ｂを閉じる時には外側袋部１０に設けた把手１２を片手で持ってキャディバッグ本体１側に押し込むと、弾性部材１１Ａは固定ビス等の締結手段８を支点としてキャディバッグ本体１側に湾曲した状態で弾性変形し、しかも弾性部材１１Ｂは弾性部材１１Ａより弾性力が強く、しかもキャディバッグ本体１の外側面形状に対応する形態に形成してあるため、弾性部材１１Ｂが弾性部材１１Ａ上に被さるようになるので、ポケット２Ｂの開口部をキャディバッグ本体１の外側面に密着させた状態で密閉することが出来る。
【００２５】
このように、開閉操作を片手により行うことが出来ると共に、開放時及び閉扉時は弾性部材の弾性力を利用して確実に行うことが出来、ポケット内の内容物の出し入れを容易に行うことが出来る。
【図面の簡単な説明】
【００２６】
【図１】この発明を実施したキャディバッグ本体のフロント側Ｘから見た斜視図である。
【図２】図１のキャディバッグ本体の側面図である。
【図３】キャディバッグ本体のフロント側Ｘから見た正面図である。
【図４】キャディバッグ本体のバック側Ｙの正面図である。
【図５】ワンタッチタイプのポケットの閉鎖時における拡大斜視図である。
【図６】ワンタッチタイプのポケットの開口時における拡大斜視図である。
【図７】図６のＡ−Ａ矢視断面図である。
【符号の説明】
【００２７】
１  キャディバッグ本体
２Ａ，２Ｂ，２Ｃ  ポケット
３  ポケット                      ４  把手
５  ショルダーベルト
６ａ，６ｂ  金具
７ａ，７ｂ  取付け金具
８  締結手段                      ９  内側袋部
９ａ  上縁部                    １０  外側袋部
１０ａ  上縁部
１１Ａ，１１Ｂ  弾性部材          １２  把手
Ｘ  フロント側                    Ｙ  バック側
【図１】
0004788253.tif 000002
【図２】
0004788253.tif 000003
【図３】
0004788253.tif 000004
【図４】
0004788253.tif 000005
【図５】
0004788253.tif 000006
【図６】
0004788253.tif 000007
【図７】
0004788253.tif 000008